(57)【要約】      （修正有）【課題】シールド効果を得つつ、従来の接続体に比べて更に組立作業が容易な接続体を提供する。【解決手段】接続体は、第１のプリント基板と第２のプリント基板との間を電気的に接続する。接続体は、第１のプリント基板に搭載され、両面接点型のフレキシブルプリント配線板用コネクタからなる第１のコネクタと、第２のプリント基板に搭載される第２のコネクタと、２つに折り重ねられた片面フレキシブルプリント配線板１２であって、折り目に対する一方側部分に形成され第１のコネクタと第２のコネクタとの間を電気的に接続する複数の配線パターン２１〜２５と、前記折り目に対する他方側部分に形成されたシールドパターン２６とを有する片面フレキシブル配線板１２と、を備える。【選択図】図３
2012060043.tif 000002
【特許請求の範囲】
【請求項１】
第１のプリント基板と第２のプリント基板との間を電気的に接続する接続体であって、
前記第１のプリント基板に搭載され、両面接点型のフレキシブルプリント配線板用コネクタからなる第１のコネクタと、
前記第２のプリント基板に搭載される第２のコネクタと、
２つに折り重ねられた片面フレキシブルプリント配線板であって、折り目に対する一方側部分に形成され前記第１のコネクタと前記第２のコネクタとの間を電気的に接続する複数の配線パターンと、前記折り目に対する他方側部分に形成されたシールドパターンとを有する片面フレキシブル配線板と、
を備えたことを特徴とする接続体。
【請求項２】
前記複数の配線パターンのうちの１本以上の配線パターンと、前記シールドパターンとの間の電気的な接続路が、前記第１のコネクタにおいて形成されたことを特徴とする請求項１記載の接続体。
【請求項３】
前記第１のコネクタは、フレキシブルプリント配線板用差し込み口と、前記差し込み口内の一方側に並設された複数の第１の端子と、前記差し込み口内の他方側において前記複数の第１の端子とそれぞれ対向するように並設され、前記第１のコネクタ内で前記複数の第１の端子とそれぞれ電気的に接続された複数の第２の端子とを、有し、
前記２つに折り重ねられた片面フレキシブルプリント配線板の差し込み部が前記差し込み口へ差し込まれて、前記複数の配線パターンが前記複数の第１の端子のいずれかと電気的に接続されるとともに、前記シールドパターンが前記複数の第２の端子のうちの１つ以上の第２の端子と電気的に接続された、
ことを特徴とする請求項１又は２記載の接続体。
【請求項４】
前記片面フレキシブル配線板は、前記折り目に沿って断続する切欠きを有することを特徴とする請求項１乃至３のいずれかに記載の接続体。
【請求項５】
２つに折り重ねられた片面フレキシブルプリント配線板であって、折り目に対する一方側部分に形成され前記第１のコネクタと前記第２のコネクタとの間を電気的に接続する複数の配線パターンと、前記折り目に対する他方側部分に形成されたシールドパターンとを備えたことを特徴とする片面フレキシブル配線板。
【請求項６】
前記折り目に沿って断続する切欠きを有することを特徴とする請求項５記載の片面フレキシブル配線板。
【請求項７】
第１のプリント基板と第２のプリント基板との間を電気的に接続する接続体であって、
前記第１のプリント基板に搭載され、両面接点型のフレキシブルプリント配線板用コネクタからなる第１のコネクタと、
前記第２のプリント基板に搭載される第２のコネクタと、
前記第１のコネクタと前記第２のコネクタとの間を電気的に接続する複数の配線パターンを有する第１の片面フレキシブルプリント配線板と、
前記第１の片面フレキシブル配線板に対して接着されることなく重ね合わされ、シールドパターンを有する第２の片面フレキシブルプリント配線板と、
を備えたことを特徴とする接続体。
【請求項８】
前記第１の片面フレキシブルプリント配線板の前記複数の配線パターンのうちの１本以上の配線パターンと、前記第２の片面フレキシブルプリント配線板の前記シールドパターンとの間の電気的な接続路が、前記第１のコネクタにおいて形成されたことを特徴とする請求項７記載の接続体。
【請求項９】
前記第１のコネクタは、フレキシブルプリント配線板用差し込み口と、前記差し込み口内の一方側に並設された複数の第１の端子と、前記差し込み口内の他方側において前記複数の第１の端子とそれぞれ対向するように並設され、前記第１のコネクタ内で前記複数の第１の端子とそれぞれ電気的に接続された複数の第２の端子とを、有し、
前記第１の片面フレキシブルプリント配線板の差し込み部及び前記第２の片面フレキシブルプリント配線板の差し込み部が、重ね合わされて前記差し込み口へ差し込まれて、前記第１の片面フレキシブルプリント配線板の前記複数の配線パターンが前記複数の第１の端子のいずれかと電気的に接続されるとともに、前記第２の片面フレキシブルプリント配線板の前記シールドパターンが前記複数の第２の端子のうちの１つ以上の第２の端子と電気的に接続された、
ことを特徴とする請求項７又は８記載の接続体。
【発明の詳細な説明】
【技術分野】
【０００１】
本発明は、第１のプリント基板と第２のプリント基板との間を電気的に接続する接続体、及び、この接続体において用いることができる片面フレキシブル配線板に関するものである。
【背景技術】
【０００２】
従来から、前述したような接続体として、２つのコネクタ間を電気的に接続するフレキシブル基板組立体を用いたものが提供されている（例えば、下記特許文献１）。前記フレキシブル基板組立体は、（i）第１のベースフィルムと、この第１のベースフィルムの片面に形成された信号用導電路と、前記第１のベースフィルムの片面に形成されたグランド用導電路と有する第１のフレキシブル基板と、（ii）第２のベースフィルムと、この第２のベースフィルムの片面に形成されたシールド膜とを有し、前記第１フレキシブル基板を覆う第２のフレキシブル基板とを備え、前記シールド膜が前記グランド用導電路に半田付けされたものである。
【０００３】
この接続体では、第１のフレキシブル基板の信号用導電路は、第２のフレキシブル基板のシールド膜によってシールドされる。そして、この接続体では、前記シールド膜が前記グランド用導電路に半田付けされるので、フレキシブル基板同士の接続作業が容易となり、フレキシブル基板組立体の組立に時間を要しない。
【先行技術文献】
【特許文献】
【０００４】
【特許文献１】特開２００９−１００２２号公報
【発明の概要】
【発明が解決しようとする課題】
【０００５】
本発明は、シールド効果を得つつ、従来の接続体に比べて更に組立作業が容易な接続体、及び、この接続体において用いることができる片面フレキシブル配線板を提供することを目的とする。
【課題を解決するための手段】
【０００６】
前記課題を解決するための手段として、以下の各態様を提示する。第１の態様による接続体は、第１のプリント基板と第２のプリント基板との間を電気的に接続する接続体であって、前記第１のプリント基板に搭載され、両面接点型のフレキシブルプリント配線板用コネクタからなる第１のコネクタと、前記第２のプリント基板に搭載される第２のコネクタと、２つに折り重ねられた片面フレキシブルプリント配線板であって、折り目に対する一方側部分に形成され前記第１のコネクタと前記第２のコネクタとの間を電気的に接続する複数の配線パターンと、前記折り目に対する他方側部分に形成されたシールドパターンとを有する片面フレキシブル配線板と、を備えものである。
【０００７】
第２の態様による接続体は、前記第１の態様において、前記複数の配線パターンのうちの１本以上の配線パターンと、前記シールドパターンとの間の電気的な接続路が、前記第１のコネクタにおいて形成されたものである。
【０００８】
第３の態様による接続体は、前記第１又は第２の態様において、（i）前記第１のコネクタは、フレキシブルプリント配線板用差し込み口と、前記差し込み口内の一方側に並設された複数の第１の端子と、前記差し込み口内の他方側において前記複数の第１の端子とそれぞれ対向するように並設され、前記第１のコネクタ内で前記複数の第１の端子とそれぞれ電気的に接続された複数の第２の端子とを、有し、（ii）前記２つに折り重ねられた片面フレキシブルプリント配線板の差し込み部が前記差し込み口へ差し込まれて、前記複数の配線パターンが前記複数の第１の端子のいずれかと電気的に接続されるとともに、前記シールドパターンが前記複数の第２の端子のうちの１つ以上の第２の端子と電気的に接続されたものである。
【０００９】
第４の態様による接続体は、前記第１乃至第３のいずれかの態様において、前記片面フレキシブル配線板は、前記折り目に沿って断続する切欠きを有するものである。
【００１０】
第５の態様による片面フレキシブル配線板は、２つに折り重ねられた片面フレキシブルプリント配線板であって、折り目に対する一方側部分に形成され前記第１のコネクタと前記第２のコネクタとの間を電気的に接続する複数の配線パターンと、前記折り目に対する他方側部分に形成されたシールドパターンとを備えたものである。
【００１１】
第６の態様による片面フレキシブル配線板は、前記第５の態様において、前記折り目に沿って断続する切欠きを有するものである。
【００１２】
第７の態様による接続体は、第１のプリント基板と第２のプリント基板との間を電気的に接続する接続体であって、前記第１のプリント基板に搭載され、両面接点型のフレキシブルプリント配線板用コネクタからなる第１のコネクタと、前記第２のプリント基板に搭載される第２のコネクタと、前記第１のコネクタと前記第２のコネクタとの間を電気的に接続する複数の配線パターンを有する第１の片面フレキシブルプリント配線板と、前記第１の片面フレキシブル配線板に対して接着されることなく重ね合わされ、シールドパターンを有する第２の片面フレキシブルプリント配線板と、を備えたものである。
【００１３】
第８の態様による接続体は、前記第７の態様において、前記第１の片面フレキシブルプリント配線板の前記複数の配線パターンのうちの１本以上の配線パターンと、前記第２の片面フレキシブルプリント配線板の前記シールドパターンとの間の電気的な接続路が、前記第１のコネクタにおいて形成されたものである。
【００１４】
第９の態様による接続体は、前記第７又は第８の態様において、（i）前記第１のコネクタは、フレキシブルプリント配線板用差し込み口と、前記差し込み口内の一方側に並設された複数の第１の端子と、前記差し込み口内の他方側において前記複数の第１の端子とそれぞれ対向するように並設され、前記第１のコネクタ内で前記複数の第１の端子とそれぞれ電気的に接続された複数の第２の端子とを、有し、（ii）前記第１の片面フレキシブルプリント配線板の差し込み部及び前記第２の片面フレキシブルプリント配線板の差し込み部が、重ね合わされて前記差し込み口へ差し込まれて、前記第１の片面フレキシブルプリント配線板の前記複数の配線パターンが前記複数の第１の端子のいずれかと電気的に接続されるとともに、前記第２の片面フレキシブルプリント配線板の前記シールドパターンが前記複数の第２の端子のうちの１つ以上の第２の端子と電気的に接続されたものである。
【発明の効果】
【００１５】
本発明によれば、シールド効果を得つつ、従来の接続体に比べて更に組立作業が容易な接続体、及び、この接続体において用いることができる片面フレキシブル配線板を提供することができる。
【図面の簡単な説明】
【００１６】
【図１】本発明の第１の実施の形態による接続体を示す概略平面図である。
【図２】図１中の折り重ねられた片面フレキシブルプリント配線板の差し込み部を両面接点型のフレキシブルプリント配線板用コネクタへ差し込む様子を示す概略斜視図である。
【図３】図１中の折り重ねられた片面フレキシブルプリント配線板の展開状態（折り重ね前の状態）を示す概略平面図及びそのＤ−Ｄ’線に沿った概略断面図である。
【図４】図１中のＡ−Ａ’線に沿った概略断面図である。
【図５】図１中のＢ−Ｂ’線に沿った概略断面図である。
【図６】本発明の第２の実施の形態による接続体を示す概略平面図である。
【図７】図１中の片面フレキシブルプリント配線板重ね合わせ体を構成する第１及び第２の片面フレキシブルプリント配線板を示す概略平面図である。
【図８】図６中のＥ−Ｅ’線に沿った概略断面図である。
【図９】図６中のＦ−Ｆ’線に沿った概略断面図である。
【図１０】第２の片面フレキシブルプリント配線板の他の例を示す概略平面図である。
【発明を実施するための形態】
【００１７】
以下、本発明による接続体１について、図面を参照して説明する。以下の説明では、フレキシブルプリント配線板を「ＦＰＣ」という。
【００１８】
［第１の実施の形態］
図１は、本発明の第１の実施の形態による接続体１を示す概略平面図である。本実施の形態による接続体１は、第１のプリント基板２Ａと第２のプリント基板２Ｂとの間を電気的に接続する。本実施の形態による接続体１は、第１のプリント基板２Ａに搭載される第１のコネクタ１１Ａと、第２のプリント基板２Ｂに搭載される第２のコネクタ１１Ｂと、２つに折り重ねられた片面ＦＰＣ１２とを備えている。
【００１９】
本実施の形態では、２つに折り重ねられた片面ＦＰＣ１２は、平面視で帯状に形成され、その長手方向の両端部にそれぞれ、コネクタ１１Ａ，１１Ｂの差し込み口５０（図２及び図５参照）に差し込まれる差し込み部１２Ａ，１２Ｂを有している。
【００２０】
図２は、図１中の２つに折り重ねられた片面ＦＰＣ１２の差し込み部１２Ａを第１のコネクタ１１Ａへ差し込む様子を示す概略斜視図である。図３（ａ）は、図１中の折り重ねられた片面ＦＰＣ１２の展開状態（折り重ね前の状態）を示す概略平面図である。図３（ｂ）は、図３（ａ）中のＤ−Ｄ’線に沿った概略断面図である。図４は、図１中のＡ−Ａ’線に沿った概略断面図である。図５は、図１中のＢ−Ｂ’線に沿った概略断面図である。図１中のＣ−Ｃ’線に沿った概略断面図は、図５と同様となる。なお、図２及び図５は、コネクタ１１Ａの構造を大幅に簡略化して模式的に示している。
【００２１】
片面ＦＰＣ１２は、絶縁材料からなる可撓性のベースフィルム２０と、ベースフィルム２０の表面（展開状態での表面）に形成された銅箔等の導体パターンからなる配線パターン２１〜２５、シールドパターン２６及び端子２１Ｕａ〜２５Ｕａ，２１Ｕｂ〜２５Ｕｂ，３１Ｄａ〜３５Ｄａ，３１Ｄｂ〜３５Ｄｂと、差し込み部１２Ａ，１２Ｂにおける端部側領域１２Ａ’，１２Ｂ’以外の領域を表側（展開状態での表側）から覆う絶縁材料からなるカバーフィルム４０とから構成されている。
【００２２】
片面ＦＰＣ１２は、展開状態における中央で長手方向に延びるＸ−Ｘ’線に関して対称形状を有している。すなわち、片面ＦＰＣ１２におけるＸ−Ｘ’線に対する一方側部分１２Ｕの外形と、線Ｘ−Ｘ’に対する他方側部分１２Ｄの外形とは、対称となっている。もっとも、両者の形状は必ずしも完全な対称でなくてもよい。後述するように、片面ＦＰＣ１２は線Ｘ−Ｘ’を折り目として２つに折り重ねられる。その折り曲げを容易にするため、片面ＦＰＣ１２には、Ｘ−Ｘ’線に沿って断続する切欠き４１が形成されている。もっとも、切欠き４１は、必ずしも形成する必要はない。また、片面ＦＰＣ１２には、Ｘ−Ｘ’線に沿った両端部の箇所に切欠き４２，４３が形成されている。これは、片面ＦＰＣ１２をＸ−Ｘ’線を折り目として２つに折り重ねたときに、その折り目が差し込み部１２Ａ，１２Ｂに到達しないようにして、折り目が差し込み部１２Ａ，１２Ｂのコネクタ１１Ａ，１１Ｂへの差し込みに支障を来たすのを防止するためである。
【００２３】
本実施の形態では、配線パターン２１〜２５は、片面ＦＰＣ１２の一方側部分１２Ｕにおいて長手方向に延びるように並設されている。両側の配線パターン２１，２５はグランド用導電路、配線パターン２１，２５に挟まれた配線パターン２２〜２４は信号用導電路となっている。もっとも、グランド用導電路をなす配線パターンの数や配置、及び、信号用導電路をなす配線パターンの数や配置は、図示の例に限定されるものではない。
【００２４】
端子２１Ｕａ〜２５Ｕａは、一方側部分１２Ｕにおける端部側領域１２Ａ’において並設され、端子２１Ｕｂ〜２５Ｕｂは、一方側部分１２Ｕにおける端部側領域１２Ｂ’において並設されている。図３に示すように、各端子２１Ｕａ〜２５Ｕａは、各配線パターン２１〜２５の、カバーフィルム４０で覆われていない一方端部である。各端子２１Ｕｂ〜２５Ｕｂは、各配線パターン２１〜２５の、カバーフィルム４０で覆われていない他方端部である。配線パターン２１〜２５は、第１のコネクタ１１Ａと第２のコネクタ１１Ｂとの間を電気的に接続するようになっている。
【００２５】
本実施の形態では、シールドパターン２６は、片面ＦＰＣ１２の他方側部分１２Ｄにおける端部側領域１２Ａ’，１２Ｂ’以外の大部分の領域に形成されたベタパターンである。
【００２６】
端子３１Ｄａ〜３５Ｄａは、他方側部分１２Ｄにおける端部側領域１２Ａ’において並設され、端子３１Ｄｂ〜３５Ｄｂは、他方側部分１２Ｄにおける端部側領域１２Ｂ’において並設されている。片面ＦＰＣ１２をＸ−Ｘ’線を折り目として２つに折り重ねたときに、端子３１Ｄａ〜３５Ｄａが端子２１Ｕａ〜２５Ｕａとそれぞれちょうど重なるとともに、端子３１Ｄｂ〜３５Ｄｂが端子２１Ｕｂ〜２５Ｕｂとそれぞれちょうど重なるようになっている。端子３１Ｄａ，３５Ｄａ，３１Ｄｂ，３５Ｄｂは、シールドパターン２６と連続して形成されてシールドパターン２６と電気的に接続されている。端子３２Ｄａ〜３４Ｄａ，３２Ｄｂ〜３４Ｄｂは、シールドパターン２６等に接続されていないダミー端子である。
【００２７】
第１のコネクタ１１Ａは、両面接点型のＦＰＣ用コネクタである。図２及び図５に示すように、第１のコネクタ１１Ａは、ＦＰＣ用差し込み口５０と、差し込み口５０内の図５中の上側に図５中左右方向に並設された第１の端子（接点）６１Ｕ〜６５Ｕと、差し込み口５０内の図６中の下側において第１の端子６１Ｕ〜６５Ｕとそれぞれ対向するように並設された第２の端子６１Ｄ〜６５Ｄ（接点）と、を有している。第１の端子６１Ｕ〜６５Ｕと第２の端子６１Ｄ〜６５Ｄとは、それぞれ対向するもの同士がコネクタ１１Ａの内部で電気的に接続されている。図面には示していないが、第１のコネクタ１１Ａは第１のプリント基板２Ａに接続される複数の端子を有し、それらの端子は、コネクタ１１Ａの内部で、対応する第１及び第２の端子に電気的に接続されている。例えば、第１のコネクタ１１Ａのある１つのプリント基板用端子は、第１の端子６１Ｕ及び第２の端子６１Ｄに電気的に接続されている。このような両面接点型のＦＰＣ用コネクタとしては、例えば、市販されているコネクタを用いることができる。
【００２８】
本実施の形態では、第２のコネクタ１１Ｂとして、第１のコネクタ１１Ａと同じ両面接点型のＦＰＣ用コネクタが用いられている。もっとも、第２のコネクタ１１Ｂとして、端子２１Ｕｂ〜２５Ｕｂに対応する端子を有する片面接点型のＦＰＣ用コネクタを用いてもよい。
【００２９】
片面ＦＰＣ１２は、端子２１Ｕａ〜２５Ｕａ，２１Ｕｂ〜２５Ｕｂ，３１Ｄａ〜３５Ｄａ，３１Ｄｂ〜３５Ｄｂが外側に露出するようにＸ−Ｘ’線を折り目として２つに折り重ねられる（すなわち、図３（ａ）においてＸ−Ｘ’線で山折りされる）。この２つに折り重ねられた片面ＦＰＣ１２では、一方側部分１２Ｕと他方側部分１２Ｄとの間は接着されない。
【００３０】
そして、この２つに折り重ねられた片面ＦＰＣ１２の差し込み部１２Ａが第１のコネクタ１１Ａの差し込み口５０へ差し込まれて、図５に示すように、差し込み部１２Ａの端子２１Ｕａ〜２５Ｕａが第１のコネクタ１１Ａの第１の端子６１Ｕ〜６５Ｕとそれぞれ接触して電気的に接続されるとともに、差し込み部１２Ａの端子３１Ｄａ〜３５Ｄａが第１のコネクタ１１Ａの第２の端子６１Ｄ〜６５Ｄとそれぞれ接触して電気的に接続されている。これにより、片面ＦＰＣ１２の一方側部分１２Ｕの配線パターン２１〜２５が第１の端子６１Ｕ〜６４Ｕとそれぞれ電気的に接続されるとともに、片面ＦＰＣ１２の他方側部分１２Ｄのシールドパターン２６が第２の端子３１Ｄａ，３５Ｄａとそれぞれ電気的に接続されている。同様に２つに折り重ねられた片面ＦＰＣ１２の差し込み部１２Ｂが第２のコネクタ１１Ａの差し込み口へ差し込まれて、同様の電気的な接続が行われる。
【００３１】
以上の説明からわかるように、本実施の形態では、２つに折り重ねられた片面ＦＰＣ１２の一方側部分１２Ｕの配線パターン２１，２５（グランド用導電路）と、２つに折り重ねられた片面ＦＰＣ１２の他方側部分１２Ｄのシールドパターン２６との間の電気的な接続路が、第１のコネクタ１１Ａ及び第２のコネクタ１１Ｂにおいて形成されている。
【００３２】
本実施の形態では、シールドパターン２６によって、信号用導電路をなす配線パターン２２〜２４がシールドされる。
【００３３】
そして、本実施の形態では、前述したように、グランド用導電路をなす配線パターン２１，２５とシールドパターン２６との間の電気的な接続路が、第１のコネクタ１１Ａ及び第２のコネクタ１１Ｂにおいて形成されている。したがって、本実施の形態による接続体１を組み立てるには、グランド用導電路をなす配線パターン２１，２５とシールドパターン２６との間の電気的な接続路を形成するための半田付け作業等が不要になり、片面ＦＰＣ１２を２つに折り重ねてその差し込み部１２Ａ，１２Ｂを第１及び第２のコネクタ１１Ａ，１１Ｂの差し込み口５０へ差し込めばよい。このため、本実施の形態によれば、前述した特許文献１に開示された接続体に比べても、更に組立作業が容易となる。
【００３４】
また、本実施の形態では、片面ＦＰＣ１２の一方側部分１２Ｕと他方側部分１２Ｄとの間は接着されていない。したがって、接続体１が完成した後に、２つに折り重ねられた片面ＦＰＣ１２を湾曲させても、一方側部分１２Ｕと他方側部分１２Ｄとの間には応力が発生しない。このため、本実施の形態によれば、配線パターン２１〜２５が断線するおそれがなく、ベースフィルム２０等にクラックが生ずるおそれもない。
【００３５】
なお、シールドパターン２６が外側で配線パターン２１〜２５が内側になるように、２つに折り重ねられた片面ＦＰＣ１２をＵ字状に湾曲させれば、信号用導電路をなす配線パターン２２〜２４を、一方側からのみならず種々の方向からシールドすることができる。
【００３６】
［第２の実施の形態］
図６は、本発明の第２の実施の形態による接続体１０１を示す概略平面図であ。図７（ａ）は、図６中の片面ＦＰＣ重ね合わせ体１１２を構成する第２の片面ＦＰＣ１１２Ｄを示す概略平面図である。図７（ｂ）は、図６中の片面ＦＰＣ重ね合わせ体１１２を構成する第１の片面ＦＰＣ１１２Ｕを示す概略平面図である。図８は、図６中のＥ−Ｅ’線に沿った概略断面図である。図９は、図６中のＦ−Ｆ’線に沿った概略断面図である。図６乃至図９において、図１乃至図５中の要素と同一又は対応する要素には同一符号を付し、その重複する説明は省略する。
【００３７】
本実施の形態による接続体１０１が前記第１の実施の形態による接続体１と異なる所は、基本的に、折り重ねられた片面ＦＰＣ１２に代えて、互いに分離されている第１の片面ＦＰＣ１１２Ｕ及び第２の片面ＦＰＣ１１２Ｄを重ね合わせてなる片面ＦＰＣ重ね合わせ体１１２が用いられている点のみである。
【００３８】
第１の片面ＦＰＣ１１２Ｕは、前記第１の実施の形態における２つに折り重ねられた片面ＦＰＣ１２の一方側部分１２Ｕに相当している。第２の片面ＦＰＣ１１２Ｄは、前記第１の実施の形態における２つに折り重ねられた片面ＦＰＣ１２の他方側部分１２Ｄに相当している。
【００３９】
片面ＦＰＣ重ね合わせ体１１２は、端子２１Ｕａ〜２５Ｕａ，２１Ｕｂ〜２５Ｕｂ，３１Ｄａ〜３５Ｄａ，３１Ｄｂ〜３５Ｄｂが外側に露出するように、第１及び第２の片面ＦＰＣ１１２Ｕ及び第２の片面ＦＰＣ１１２Ｄを、接着することなく重ね合わせたものである。
【００４０】
そして、本実施の形態では、２つに折り重ねられた片面ＦＰＣ１２の差し込み部１２Ａ，１２Ｂに相当する片面ＦＰＣ重ね合わせ体１１２の差し込み部１１２Ａ，１１２Ｂが、第１及び第２のコネクタ１１Ａの差し込み口にそれぞれ差し込まれている。
【００４１】
本実施の形態によっても、前記第１の実施の形態と同様の利点が得られる。
【００４２】
なお、本実施の形態において、第２の片面ＦＰＣ１１２Ｄに代えて、図１０に示す第２の片面ＦＰＣ２１２Ｄを用いてもよい。片面ＦＰＣ２１２Ｄが片面ＦＰＣ１１２Ｄと異なる所は、片面ＦＰＣ１１２Ｄでは、シールドパターン２６がベタパターンであるのに対し、片面ＦＰＣ２１２Ｄでは、シールドパターン２６には多数の孔２６ａが形成され、シールドパターン２６が多孔状パターンである点のみである。また、シールドパターン２６は、ベタパターンや多孔状パターンに限られるものではなく、格子状パターン、メッシュ状パターンなどの種々の図形パターンを採用することができる。これらの点は、前記第１の実施の形態に関しても同様である。
【００４３】
以上、本発明の各実施の形態について説明したが、本発明はこれらの実施の形態に限定されるものではない。
【符号の説明】
【００４４】
１，１０１  接続体
２Ａ  第１のプリント基板
２Ｂ  第２のプリント基板
１１Ａ  第１のコネクタ
１１Ｂ  第２のコネクタ
１２  片面ＦＰＣ
２１〜２５  配線パターン
２６  シールドパターン
１１２  片面ＦＰＣ重ね合わせ体
１１２Ｕ  第１の片面ＦＰＣ
１１２Ｄ  第２の片面ＦＰＣ
【図１】
2012060043.tif 000003
【図２】
2012060043.tif 000004
【図３】
2012060043.tif 000005
【図４】
2012060043.tif 000006
【図５】
2012060043.tif 000007
【図６】
2012060043.tif 000008
【図７】
2012060043.tif 000009
【図８】
2012060043.tif 000010
【図９】
2012060043.tif 000011
【図１０】
2012060043.tif 000012